(57)【要約】【課題】共振周波数の調整が可能な小型アンテナで、形状が簡単で、破損しにくく、使用方法が分かりやすく、実装時に端子の間違いを起こしにくい、小型アンテナを製造する。【解決手段】複数の共振周波数に対応する複数の放射導体パターンを含む共通放射導体パターン２０を用意する段階、得ようとする共振周波数に応じて共通放射導体パターン２０の短絡部２６Ａ〜２６Ｄを選択的に切除する段階、これにより得られた放射導体パターン２０Ａ、２０Ｂ又は２０Ｃの端子２２、２４以外の部分を誘電体２８で封止する段階、を経ることにより、小型アンテナを製造する。端子数の少ない小型アンテナが得られる。【選択図】　　図１
2004032102.tif 000002
【特許請求の範囲】
【請求項１】
複数の共振周波数に対応する複数の放射導体パターンを含むように複数の短絡部を形成したことを特徴とする小型アンテナ用共通放射導体パターン。
【請求項２】
複数の共振周波数に対応する複数の放射導体パターンを含むように複数の短絡部を形成した共通放射導体パターンを用意する段階、得ようとする共振周波数に応じて前記複数の短絡部の一部を選択的に切除する段階、これにより得られた放射導体パターンの端子以外の部分を誘電体で封止する段階、を経ることを特徴とする小型アンテナの製造方法。
【請求項３】
複数の共振周波数に対応する複数の放射導体パターンを含むように複数の短絡部を形成した共通放射導体パターンを用意する段階、この共通放射導体パターンの端子以外の部分を誘電体で封止する段階、得ようとする共振周波数に応じて前記複数の短絡部の一部を封止誘電体と共に打ち抜く段階、を経ることを特徴とする小型アンテナの製造方法。
【請求項４】
複数の共振周波数に対応する複数の放射導体パターンに共通な基本放射導体パターンを打ち抜く金型を用意し、この金型に得ようとする共振周波数に応じて抜き駒をセットする段階、抜き駒をセットした金型で得ようとする共振周波数の放射導体パターンを打ち抜く段階、打ち抜かれた放射導体パターンの端子以外の部分を誘電体で封止する段階、を経ることを特徴とする小型アンテナの製造方法。
【発明の詳細な説明】
【０００１】
【発明の属する技術分野】本発明は、製造段階で共振周波数の調整が可能な小型アンテナ用共通放射導体パターンと、それを用いた小型アンテナの製造方法に関するものである。
【０００２】
【従来の技術】情報端末などに使用される小型アンテナは、周囲の状況等によって共振周波数が変化するため、顧客の要求に迅速に対応するためには、製造段階で共振周波数を微調整できるようにすることが好ましい。
【０００３】このためミアンダアンテナ等の線状アンテナを製造する場合には従来から、図８（Ａ）、（Ｂ）のような方法が公知である。この方法では、まず金属板の打ち抜き加工等により、（Ａ）に示すような放射導体パターン１０を形成する。この放射導体パターン１０は、線状導体の一端側に給電端子となりうる複数の端子１２Ａ、１２Ｂ（図示の例は二つであるが三つ以上の場合もある）を設け、他端側にアンテナを回路基板等に固定するための固定端子１４を設けたものである。次に（Ｂ）に示すように、上記放射導体パターン１０の、端子１２Ａ、１２Ｂ、１４以外の部分を誘電体１６に埋め込んで封止する。これにより誘電体１６から端子１２Ａ、１２Ｂ、１４が突出した形の小型アンテナ１８が得られる。
【０００４】この小型アンテナ１８を回路基板等に実装するときは、一端側の複数の端子１２Ａ、１２Ｂのうちの、一つの端子だけを給電端子とし、それ以外の端子を回路基板への固定端子とする。例えば端子１２Ａを給電端子とした場合は、線路長が長くなるので、共振周波数は低くなる。また端子１２Ｂを給電端子とした場合は、線路長が短くなるので、共振周波数は高くなる。このように従来の小型アンテナは、複数の端子のうちから給電端子にする端子を選択することにより、共振周波数の微調整を行っていた。
【０００５】
【発明が解決しようとする課題】共振周波数の調整を可能にした従来の小型アンテナは、本来必要としない端子を有し、端子数が多くなるため、形状が複雑になり、破損しやすく、使用方法が面倒であり、実装時に端子を間違いやすい、という問題点がある。
【０００６】本発明の目的は、以上のような問題点を解消する小型アンテナ用共通放射導体パターンと、それを用いた小型アンテナの製造方法を提供することにある。
【０００７】
【課題を解決するための手段】この目的を達成するため、本発明に係る小型アンテナ用共通放射導体パターンは、複数の共振周波数に対応する複数の放射導体パターンを含むように複数の短絡部を形成したことを特徴とする。
【０００８】また、本発明に係る小型アンテナの製造方法は、複数の共振周波数に対応する複数の放射導体パターンを含むように複数の短絡部を形成した共通放射導体パターンを用意する段階、得ようとする共振周波数に応じて前記複数の短絡部の一部を選択的に切除する段階、これにより得られた放射導体パターンの端子以外の部分を誘電体で封止する段階、を経ることを特徴とするものである。
【０００９】また本発明に係る小型アンテナの製造方法は、複数の共振周波数に対応する複数の放射導体パターンを含むように複数の短絡部を形成した共通放射導体パターンを用意する段階、この共通放射導体パターンの端子以外の部分を誘電体で封止する段階、得ようとする共振周波数に応じて前記複数の短絡部の一部を封止誘電体と共に打ち抜く段階、を経るものであってもよい。
【００１０】また本発明に係る小型アンテナの製造方法は、複数の共振周波数に対応する複数の放射導体パターンに共通な基本放射導体パターンを打ち抜く金型を用意し、この金型に得ようとする共振周波数に応じて抜き駒をセットする段階、抜き駒をセットした金型で得ようとする共振周波数の放射導体パターンを打ち抜く段階、打ち抜かれた放射導体パターンの端子以外の部分を誘電体で封止する段階、を経るものであってもよい。
【００１１】
【発明の実施の形態】以下、本発明の実施の形態を、図面を参照して詳細に説明する。
【００１２】
〔実施形態１〕　図１は本発明の一実施形態を示す。この実施形態では、まず同図（Ａ）に示すような共通放射導体パターン２０を製造する。この共通放射導体パターン２０は、ミアンダ状導体の両端に一つずつ端子２２、２４を有し、途中に斜線で示した複数の短絡部２６Ａ〜２６Ｄを有するものである。この共通放射導体パターン２０には、共振周波数が少しずつ異なる複数の放射導体パターンが含まれており、複数の短絡部２６Ａ〜２６Ｄを選択的に切除することによって、所望の共振周波数の放射導体パターンが得られるようになっている。
【００１３】例えば、複数の短絡部２６Ａ〜２６Ｄのうち、２６Ａと２６Ｄを残し、その他を切除すると、図１（Ｂ）のような放射導体パターン２０Ａが得られる。この放射導体パターン２０Ａは、端子２２から２４までの線路長が最も短く、共振周波数の高いものとなる。したがって、この放射導体パターン２０Ａの端子２２、２４以外の部分を誘電体２８で封止すれば、共振周波数の高い小型アンテナ３０Ａを得ることができる。二つの端子２２、２４は、その一方が給電端子となり、他方が回路基板等への固定端子となる。誘電体２８としては、射出成形可能な樹脂を使用することが好ましい（以下同じ）。
【００１４】また、複数の短絡部２６Ａ〜２６Ｄのうち、２６Ｂと２６Ｄを残し、その他を切除すると、図１（Ｃ）のような放射導体パターン２０Ｂが得られる。この放射導体パターン２０Ｂは、端子２２から２４までの線路長が前記放射導体パターン２０Ａより若干長く、共振周波数がやや低いものとなる。したがって、この放射導体パターン２０Ｂの端子２２、２４以外の部分を誘電体２８で封止すれば、共振周波数のやや低い小型アンテナ３０Ｂを得ることができる。
【００１５】また、複数の短絡部２６Ａ〜２６Ｄのうち、２６Ｂと２６Ｃを残し、その他を切除すると、図１（Ｄ）のような放射導体パターン２０Ｃが得られる。この放射導体パターン２０Ｃは、端子２２から２４までの線路長が最も長く、前記放射導体パターン２０Ｂよりさらに共振周波数の低いものとなる。したがって、この放射導体パターン２０Ｃの端子２２、２４以外の部分を誘電体２８で封止すれば、共振周波数の低い小型アンテナ３０Ｃを得ることができる。
【００１６】この製造方法によると、従来より端子数を少なくできるため、形状が簡単になり、破損しにくく、使用方法が分かりやすく、実装時に端子の間違いを起こしにくい、小型アンテナを得ることができる。
【００１７】
〔実施形態２〕　実施形態１では、短絡部２６Ａ〜２６Ｄを選択的に切除してから、誘電体で封止したが、この順序を逆にすることもできる。すなわち、図１（Ａ）に示す共通放射導体パターン２０の状態で、端子２２、２４以外の部分を誘電体で封止した後、短絡部２６Ａ〜２６Ｄを封止誘電体と共に選択的に打ち抜くことによっても、所望の共振周波数を有する小型アンテナを得ることができる。
【００１８】この方法によると、誘電体の封止によって生じる共振周波数のずれをも含めて共振周波数を調整することができ、共振周波数の調整をより確実に行うことができる。
【００１９】
〔実施形態３〕　実施形態１、２では、共振周波数の異なる複数の放射導体パターンを含む共通放射導体パターンを製造してから、短絡部を選択的に切除することで、所望の共振周波数の放射導体パターンを得るようにしたが、この実施形態は、放射導体パターン打ち抜き用の金型に工夫を施し、一組の金型で、共振周波数の異なる複数の放射導体パターンを打ち抜けるようにして、共通放射導体パターンから短絡部を打ち抜く工程を省略したものである。
【００２０】図２はこの実施形態で使用する上型３２Ａと下型３２Ｂを示す。上型３２Ａの下面には、放射導体パターンに対応する溝３４が形成され、下型３２Ｂの上面には、上記溝３４と嵌合して放射導体パターンを打ち抜く突起３６が形成されている。この実施形態では、溝３４及び突起３６は、図１（Ａ）の共通放射導体パターン２０のうち、同図（Ｂ）〜（Ｄ）に示す複数の放射導体パターン２０Ａ〜２０Ｃに共通する基本放射導体パターン（短絡部２６Ａ〜２６Ｄ以外のパターン）を打ち抜けるように形成されている。金型３２Ａ、３２Ｂの、短絡部２６Ａ〜２６Ｄに相当する部分は、抜き駒装着部３８Ａ〜３８Ｄとなっている。各抜き駒装着部３８Ａ〜３８Ｄには抜き駒固定用のボルト穴４０が形成されている。上型３２Ａの抜き駒装着部３８Ａ〜３８Ｄと下型３２Ｂの抜き駒装着部３８Ａ〜３８Ｄは上下に対向しており、対向する抜き駒装着部の一方に抜き駒を装着するときは、他方には抜き駒を装着しない。この金型は、下型３２Ｂの抜き駒装着部３８〜３８Ｄの全てに抜き駒をセットすると、図１（Ａ）に示す共通放射導体パターン２０を打ち抜くことができるように形成されている。
【００２１】図３（Ａ）は、下型３２Ｂの第一の抜き駒装着部３８Ａに抜き駒４２をセットし、上型３２Ａの第二の抜き駒装着部３８Ｂに抜き駒４２をセットした状態を示す。４４は抜き駒固定用のボルトである。この金型３２Ａ、３２Ｂで金属板を打ち抜くと、同図（Ｂ）のような放射導体パターン２０Ａが得られる。
【００２２】また図４（Ａ）は、図３（Ａ）と逆の状態、すなわち、上型３２Ａの第一の抜き駒装着部３８Ａに抜き駒４２をセットし、下型３２Ａの第二の抜き駒装着部３８Ｂに抜き駒４２をセットした状態を示す。この金型３２Ａ、３２Ｂで金属板を打ち抜くと、同図（Ｂ）のような放射導体パターン２０Ｂが得られる。
【００２３】このように、この金型３２Ａ、３２Ｂは、対向する抜き駒装着部のどちら側に抜き駒をセットするかによって、放射導体パターンの短絡部の位置を任意に設定できる。
【００２４】図５は、図２に示す上型３２Ａの第二と第三の抜き駒装着部３８Ｂ、３８Ｃに抜き駒４２をセットし、下型３２Ｂの第一と第四の抜き駒装着部３８Ａ、３８Ｄに抜き駒４２をセットしたものである。この金型３２Ａ、３２Ｂで金属板を打ち抜くと、図１（Ｂ）に示すような放射導体パターン２０Ａを得ることができる。したがってこの放射導体パターン２０Ａを誘電体２８で封止すれば、実施形態１と同様、共振周波数の高い小型アンテナが得られる。
【００２５】図６は、図２に示す上型３２Ａの第一と第三の抜き駒装着部３８Ａ、３８Ｃに抜き駒４２をセットし、下型３２Ｂの第二と第四の抜き駒装着部３８Ｂ、３８Ｄに抜き駒４２をセットしたものである。この金型３２Ａ、３２Ｂで金属板を打ち抜くと、図１（Ｃ）に示すような放射導体パターン２０Ｂを得ることができる。したがってこの放射導体パターン２０Ｂを誘電体２８で封止すれば、実施形態１と同様、共振周波数のやや低い小型アンテナが得られる。
【００２６】図７は、図２に示す上型３２Ａの第一と第四の抜き駒装着部３８Ａ、３８Ｄに抜き駒４２をセットし、下型３２Ｂの第二と第三の抜き駒装着部３８Ｂ、３８Ｃに抜き駒４２をセットしたものである。この金型３２Ａ、３２Ｂで金属板を打ち抜くと、図１（Ｄ）に示すような放射導体パターン２０Ｃを得ることができる。したがってこの放射導体パターン２０Ｃを誘電体２８で封止すれば、実施形態１と同様、共振周波数のさらに低い小型アンテナが得られる。
【００２７】この実施形態によると、一組の金型で、抜き駒を付け換えるだけで、共振周波数の異なる複数の放射導体パターンを直接製造できるため、共通放射導体パターンの短絡部を選択的に打ち抜く工程及び設備が不要となる。したがって小型アンテナのコストを低減することができる。
【００２８】
【発明の効果】以上説明したように本発明によれば、従来の小型アンテナより端子数を少なくできるため、形状が簡単になり、破損しにくく、使用方法が分かりやすく、実装時に端子の間違いを起こしにくい、小型アンテナを得ることができる。
【図面の簡単な説明】
【図１】本発明の一実施形態を示すもので、（Ａ）は共通放射導体パターンの平面図、（Ｂ）〜（Ｄ）はそれぞれ（Ａ）の共通放射導体パターンから得られる共振周波数の異なる小型アンテナの平面図。
【図２】本発明の他の実施形態に用いる金型を示すもので、（Ａ）は上型の下面図、（Ｂ）は下型の上面図、（Ｃ）は（Ａ）のＣ−Ｃ線断面図、（Ｄ）は（Ｂ）のＤ−Ｄ線断面図、（Ｅ）は（Ａ）のＥ−Ｅ線断面図、（Ｆ）は（Ｂ）のＦ−Ｆ線断面図。
【図３】（Ａ）は図２の金型の一部に抜き駒をセットした状態の一例を示す断面図、（Ｂ）は（Ａ）の金型によって得られる放射導体パターンの一部を示す平面図。
【図４】（Ａ）は図２の金型の一部に抜き駒をセットした状態の他の例を示す断面図、（Ｂ）は（Ａ）の金型によって得られる放射導体パターンの一部を示す平面図。
【図５】図２の金型に抜き駒をセットした状態の一例を示すもので、（Ａ）は上型の下面図、（Ｂ）は下型の上面図、（Ｃ）は（Ａ）のＣ−Ｃ線断面図、（Ｄ）は（Ｂ）のＤ−Ｄ線断面図、（Ｅ）は（Ａ）のＥ−Ｅ線断面図、（Ｆ）は（Ｂ）のＦ−Ｆ線断面図。
【図６】図２の金型に抜き駒をセットした状態の他の例を示すもので、（Ａ）は上型の下面図、（Ｂ）は下型の上面図、（Ｃ）は（Ａ）のＣ−Ｃ線断面図、（Ｄ）は（Ｂ）のＤ−Ｄ線断面図、（Ｅ）は（Ａ）のＥ−Ｅ線断面図、（Ｆ）は（Ｂ）のＦ−Ｆ線断面図。
【図７】図２の金型に抜き駒をセットした状態のさらに他の例を示すもので、（Ａ）は上型の下面図、（Ｂ）は下型の上面図、（Ｃ）は（Ａ）のＣ−Ｃ線断面図、（Ｄ）は（Ｂ）のＤ−Ｄ線断面図、（Ｅ）は（Ａ）のＥ−Ｅ線断面図、（Ｆ）は（Ｂ）のＦ−Ｆ線断面図。
【図８】従来例を示すもので、（Ａ）は放射導体パターンの平面図、（Ｂ）は（Ａ）の放射導体パターンを用いた小型アンテナの平面図。
【符号の説明】
２０：共通放射導体パターン
２０Ａ、２０Ｂ、２０Ｃ：共振周波数の異なる放射導体パターン
２２、２４：端子
２６Ａ〜２６Ｄ：短絡部
２８：誘電体
３０Ａ、３０Ｂ、３０Ｃ：共振周波数の異なる小型アンテナ
３２Ａ、３２Ｂ：金型
３４：溝
３６：突起
３８Ａ〜３８Ｄ：抜き駒装着部
４２：抜き駒
【図１】
2004032102.tif 000003
【図２】
2004032102.tif 000004
【図３】
2004032102.tif 000005
【図４】
2004032102.tif 000006
【図５】
2004032102.tif 000007
【図６】
2004032102.tif 000008
【図７】
2004032102.tif 000009
【図８】
2004032102.tif 000010